(57)【特許請求の範囲】
【請求項１】
ディスプレイ方法であり、映像表示装置とシャッター眼鏡とを備える３次元ディスプレイに適するものであって、前記方法が：
右眼フレームが前記映像表示装置中に書き込まれようとする時、前記映像表示装置のゲートドライバーのスタート信号、ゲートクロック信号又は前記映像表示装置のソースドライバーのデータラッチ信号に基づき、シャッター同期信号のイネーブル又はディスエーブル状態を前記映像表示装置により変更して、前記シャッター眼鏡の左眼グラスを閉じ、ここでは、前記右眼フレームに対応するフレーム期間中に前記スタート信号がイネーブルにされる時、前記シャッター同期信号を前記映像表示装置によりディスエーブルにして前記シャッター眼鏡の前記左眼グラスを閉じることと；
前記右眼フレームに対応するフレーム期間にデータラッチ信号により伝送される最終データ書き込みパルスがイネーブル状態にされることからディスエーブル状態にされることに変化し且つ前記スタート信号がディスエーブル状態である時、又は、最終走査信号が前記右眼フレームに対応するフレーム期間中にイネーブル状態にされることからディスエーブル状態にされることに変化し且つ前記スタート信号がディスエーブル状態である時、前記シャッター同期信号を前記映像表示装置によりイネーブルにして前記シャッター眼鏡の前記右眼グラスを開くことと；
左眼フレームが前記映像表示装置中に書き込まれようとする時、前記スタート信号及び前記ゲートクロック信号や前記データラッチ信号に基づき、前記シャッター同期信号のイネーブル又はディスエーブル状態を前記映像表示装置により変更して、前記シャッター眼鏡の前記右眼グラスを閉じ、ここでは、前記左眼フレームに対応するフレーム期間中に前記スタート信号がイネーブルにされる時、前記シャッター同期信号を前記映像表示装置によりディスエーブルにして前記シャッター眼鏡の前記右眼グラスを閉じることと；
前記左眼フレームに対応するフレーム期間にデータラッチ信号により伝送される最終データ書き込みパルスがイネーブル状態にされることからディスエーブル状態にされることに変化し且つ前記スタート信号がディスエーブル状態である時、又は、前記最終走査信号が前記左眼フレームに対応するフレーム期間中にイネーブル状態にされることからディスエーブル状態にされることに変化し且つ前記スタート信号がディスエーブル状態である時、前記シャッター同期信号を前記映像表示装置によりイネーブルにして前記シャッター眼鏡の前記左眼グラスを開くことと
を含むディスプレイ方法。
【請求項２】
前記右眼グラスおよび前記左眼グラスが、前もって閉じるにセットされるものである請求項１に記載のディスプレイ方法。
【請求項３】
前記左眼グラスが、前記シャッター同期信号により伝送される第１パルス中に開かれ、前記右眼グラスが、前記シャッター同期信号により伝送される第２パルス中に開かれ、そのうち、前記第１パルスおよび前記第２パルスが異なるフレーム期間に位置するものである請求項１又は２に記載のディスプレイ方法。
【請求項４】
ディスプレイ方法であり、映像表示装置とシャッター眼鏡とを備える３次元ディスプレイに適するものであって、前記方法が：
右眼フレームが前記映像表示装置に書き込まれようとする時、前記映像表示装置のゲートドライバーのスタート信号、ゲートクロック信号又は前記映像表示装置のソースドライバーのデータラッチ信号に基づき、シャッター同期信号のイネーブル又はディスエーブル状態を前記映像表示装置により変更して、左眼グラスを閉じ、ここでは、前記右眼フレームに対応するフレーム期間中に前記スタート信号がイネーブルにされる時、前記シャッター同期信号を前記映像表示装置によりディスエーブルにして前記シャッター眼鏡の前記左眼グラスを閉じることと；
前記右眼フレームに対応するフレーム期間にデータラッチ信号により伝送される最終データ書き込みパルスがイネーブル状態にされることからディスエーブル状態にされることに変化し且つ前記スタート信号がディスエーブル状態である時、又は、最終走査信号が前記右眼フレームに対応するフレーム期間中にイネーブル状態にされることからディスエーブル状態にされることに変化し且つ前記スタート信号がディスエーブル状態である時、前記シャッター同期信号を前記映像表示装置によりイネーブルにして前記シャッター眼鏡の前記右眼グラスを開き、前記最終走査信号の状態が該ゲートクロック信号のパルスから得られること；
左眼フレームが前記映像表示装置に書き込まれようとする時、前記スタート信号及び前記ゲートクロック信号や前記データラッチ信号に基づき、前記シャッター同期信号のイネーブル又はディスエーブル状態を前記映像表示装置により変更して、前記シャッター眼鏡の前記右眼グラスを閉じ、ここでは、前記左眼フレームに対応するフレーム期間中に前記スタート信号がイネーブルにされる時、前記シャッター同期信号を前記映像表示信号によりディスエーブルにして前記シャッター眼鏡の前記右眼グラスを閉じ、前記左眼フレームに対応するフレーム期間にデータラッチ信号により伝送される最終データ書き込みパルスがイネーブル状態にされることからディスエーブル状態にされることに変化し且つ前記スタート信号がディスエーブル状態である時、又は、前記最終走査信号が前記左眼フレームに対応するフレーム期間中にイネーブル状態にされることからディスエーブル状態にされることに変化し且つ前記スタート信号がディスエーブル状態である時、前記シャッター同期信号を前記映像表示装置によりイネーブルにして前記シャッター眼鏡の前記左眼グラスを開くことと；
前記映像表示装置がブラックフレームを表示する時、前記シャッター同期信号を前記映像表示装置により出力して前記左眼グラスの状態および前記右眼グラスの状態を維持し、そのうち、前記ブラックフレームが前記左眼フレームおよび前記右眼フレームの間に表示されるものであること
を含むディスプレイ方法。
【請求項５】
前記左眼グラスが第１レベルで前記シャッター同期信号により開かれ、前記右眼グラスが第２レベルで前記シャッター同期信号により開かれ、そのうち、前記第１レベルが前記第２レベルと同じでないものである請求項４に記載のディスプレイ方法。
【請求項６】
ビデオ信号を受信して左眼フレームまたは右眼フレームを表示し、前記左眼フレームまたは前記右眼フレームに従ってシャッター同期信号を出力するよう構成され、ここでは、前記シャッター同期信号のイネーブル又はディスエーブル状態をゲートドライバーのスタート信号、ゲートクロック信号又はソースドライバーのデータラッチ信号に基づき変更する映像表示装置と；
前記映像表示装置に連結され、前記シャッター同期信号に従って左眼グラスおよび右眼グラスのうち１つを開くように構成されるシャッター眼鏡とを備え、
ここでは、前記右眼フレームに対応するフレーム期間中に前記スタート信号がイネーブルにされる時、前記シャッター同期信号を前記映像表示装置によりディスエーブルにして前記シャッター眼鏡の前記左眼グラスを閉じ、前記左眼フレームに対応するフレーム期間中に前記スタート信号がイネーブルにされる時、前記シャッター同期信号を前記映像表示装置によりディスエーブルにして前記シャッター眼鏡の前記右眼グラスを閉じ、
前記右眼フレームに対応するフレーム期間にデータラッチ信号により伝送される最終データ書き込みパルスがイネーブル状態にされることからディスエーブル状態にされることに変化し且つ前記スタート信号がディスエーブル状態である時、又は、最終走査信号が前記右眼フレームに対応するフレーム期間中にイネーブル状態にされることからディスエーブル状態にされることに変化し且つ前記スタート信号がディスエーブル状態である時、前記シャッター同期信号を前記映像表示装置によりイネーブルにして前記シャッター眼鏡の前記右眼グラスを開き、前記最終走査信号の状態が該ゲートクロック信号のパルスから得られ、
前記左眼フレームに対応するフレーム期間にデータラッチ信号により伝送される前記最終データ書き込みパルスがイネーブル状態にされることからディスエーブル状態にされることに変化し且つ前記スタート信号がディスエーブル状態である時、又は、前記最終走査信号が前記左眼フレームに対応するフレーム期間中にイネーブル状態にされることからディスエーブル状態にされることに変化し且つ前記スタート信号がディスエーブル状態である時、前記シャッター同期信号を前記映像表示装置によりイネーブルにして前記シャッター眼鏡の前記左眼グラスを開く
ことを特徴とする３次元ディスプレイ。
【請求項７】
前記映像表示装置が：
前記ビデオ信号を受信して、前記左眼フレームまたは前記右眼フレームが表示されているかに従って前記スタート信号、前記ゲートクロック信号、前記データラッチ信号を発生させるように構成されたタイミング制御器と；
前記タイミング制御器に連結され、前記スタート信号および前記ゲートクロック信号に従って複数の走査信号を発生させるように構成されたゲートドライバーと；
前記タイミング制御器に連結され、前記データラッチ信号に従って複数のディスプレイデータを出力するように構成されたソースドライバーと；
前記ゲートドライバーおよび前記ソースドライバーに連結され、前記複数の走査信号に従って前記ディスプレイデータを受信して前記左眼フレームまたは前記右眼フレームを表示するよう構成されたディスプレイパネルと；
前記タイミング制御器に連結され、前記スタート信号、前記ゲートクロック信号または前記データラッチ信号に従って前記シャッター同期信号を発生させるように構成された同期信号発生器と
を備える請求項６に記載の３次元ディスプレイ。
【請求項８】
前記右眼フレームに対応するフレーム期間中に前記データラッチ信号により伝送される前記最終データ書き込みパルスがイネーブル状態にされることからディスエーブル状態にされることに変化し且つ前記スタート信号がディスエーブル状態である時、前記同期信号発生器が前記シャッター同期信号をイネーブルにして前記シャッター眼鏡の前記右眼グラスを開き、前記左眼フレームに対応するフレーム期間に前記データラッチ信号により伝送される前記最終データ書き込みパルスがイネーブル状態にされることからディスエーブル状態にされることへ変化し且つ前記スタート信号がディスエーブル状態である時、前記同期信号発生器が前記シャッター同期信号をイネーブルにして前記シャッター眼鏡の前記左眼グラスを開く請求項７に記載の３次元ディスプレイ。
【請求項９】
前記右眼フレームに対応するフレーム期間に前記複数の走査信号の前記最終走査信号がイネーブル状態にされることからディスエーブル状態にされることに変化し且つ前記スタート信号がディスエーブル状態である時、前記同期信号発生器が前記シャッター同期信号をイネーブルにして前記シャッター眼鏡の前記右眼グラスを開き、前記左眼フレームに対応するフレーム期間に前記複数の走査信号の前記最終走査信号がイネーブル状態にされることからディスエーブル状態にされることに変化し且つ前記スタート信号がディスエーブル状態である時、前記同期信号発生器が前記シャッター同期信号をイネーブルにして前記シャッター眼鏡の前記左眼グラスを開く請求項７に記載の３次元ディスプレイ。
【発明の詳細な説明】
【技術分野】
【０００１】
この発明は、一般的に３次元ディスプレイ技術に関し、特に、３次元ディスプレイとそのディスプレイ方法に関する。
【背景技術】
【０００２】
技術の進歩および発達により、人々の物質的かつ精神的なレベルでの充実感に対する必要性は、減るばかりか増えるのみである。人々は、３次元（three dimensional = 3D）ディスプレイを通して、その想像力を表明することを熱望し、その場に身をおくような効果を生々しく体験する。従って、いかにディスプレイにより３Ｄ映像（3D image）またはビデオを提供するかが現在の３Ｄディスプレイ技術の探求する主要な目標となっている。
【０００３】
外観について言えば、３Ｄディスプレイ技術は、おおまかに、ユーザーに特別にデザインした一対の眼鏡（メガネ）を着用することを求めるステレオスコープ技術（stereoscopic techniques）と、裸眼で直接見させる自動ステレオスコープ技術(auto- stereoscopic techniques)とに分けられる。とりわけ、ステレオスコープ３Ｄディスプレイ技術は、カラーフィルター眼鏡（color filter glasses）、偏光眼鏡（polarizing glasses ）およびシャッター（shutter glasses）眼鏡などに分けられる。ステレオスコープ３Ｄディスプレイ技術の操作原理は、眼鏡レンズを使用して３Ｄディスプレイにより表示される左眼および右眼フレームを選択し、左眼および右眼がそれぞれ３Ｄ視覚効果を発生させるために左眼および右眼フレームを見るものである。
【０００４】
図１は、従来の３Ｄ映像ディスプレイシステムを示す概略的な説明図である。図１において、３Ｄ映像ディスプレイシステム１０中、メディア再生装置３０がビデオ信号ＶＳおよびシャッター同期信号ＳＳを発生させる。具体的には、ビデオ信号ＶＳが３Ｄディスプレイ１００の映像表示装置１１０を制御して対応する映像を表示するのに対して、シャッター同期信号ＳＳがシャッター眼鏡を制御して左眼グラス（レンズ）または右眼グラスを開く。映像表示装置１１０が右眼フレームを表示する時、シャッター眼鏡１２０が右眼グラスを開き、左眼グラスを閉じて、右眼が右眼フレームを受け取る。
【発明の概要】
【発明が解決しようとする課題】
【０００５】
映像３Ｄ効果を強化し残像を防止するために、典型的な設計は、通常、映像がフル表示された後でシャッター眼鏡を開く必要がある。しかし、ビデオ信号ＶＳおよびシャッター同期信号ＳＳがメディア再生装置３０により発生されるため、メディア再生装置３０が映像表示装置１１０の内部回路構成による処理時間遅延に合わせて映像の全表示時間を計算し、それによってシャッター同期信号ＳＳを発生させることが求められる。また、内部回路構成設計および映像表示装置１１０に採用されるパネル構造における差異のため、映像表示装置１１０における内部回路構成の処理時間遅延が同一ではない。メディア再生装置３０が誤判定または映像表示装置１１０の内部回路構成へのサポートに失敗する時、正確でないシャッター同期信号ＳＳが発生する。さらに、正確でないシャッター同期信号ＳＳは、シャッター眼鏡が正確でない時間に開くことを引き起こし、残像および映像３Ｄ効果の低下という結果となる。
【０００６】
（発明の目的）
そこで、この発明の目的は、ディスプレイの対応するフレームに従いシャッター眼鏡のアイグラス（eye glasses）を正確に制御して開く３次元ディスプレイを提供することにある。
【０００７】
この発明の目的は、映像表示の輝度を強化するディスプレイ方法を提供することにある。
【課題を解決するための手段】
【０００８】
この発明は、ディスプレイ方法を提供し、映像表示装置とシャッター眼鏡とを含む３次元ディスプレイに適し、ディスプレイ方法が以下のステップを含む。右眼フレームが前記映像表示装置中に書き込まれようとする時、シャッター同期信号を前記映像表示装置により出力して前記シャッター眼鏡の左眼グラスを閉じる。前記右眼フレームが書かれた時、前記シャッター同期信号を前記映像表示装置により出力して前記シャッター眼鏡の右眼グラスを開く。左眼フレームが前記映像表示装置中に書き込まれようとする時、前記シャッター同期信号を前記映像表示装置により出力して前記シャッター眼鏡の前記右眼グラスを閉じる。前記左眼フレームが書かれた時、前記シャッター同期信号を前記映像表示装置により出力して前記シャッター眼鏡の前記左眼グラスを開く。
【０００９】
この発明の実施形態に従って、前記右眼フレームが前記映像表示装置中に書き込まれようとする時、前記シャッター同期信号を映像表示装置により出力して前記シャッター眼鏡の前記左眼グラスを閉じる上記ステップが、前記右眼フレームに対応するフレーム期間にスタート信号がイネーブルにされる（enabled）時、前記シャッター同期信号を前記映像表示装置により出力して前記シャッター眼鏡の前記左眼グラスを閉じることを含む。
【００１０】
この発明の実施形態に従って、前記右眼フレームが書かれた時、前記シャッター同期信号を前記映像表示装置により出力して前記シャッター眼鏡の前記右眼グラスを開く上記ステップが、前記右眼フレームに対応するフレーム期間にデータラッチ信号により伝送される最終データ書き込みパルスがイネーブルにされる（enabled）ことからディスエーブルにされること（disabled）に変化する時、前記シャッター同期信号を前記映像表示装置により出力して前記シャッター眼鏡の前記右眼グラスを開くことを含むものである。
【００１１】
この発明の実施形態に従って、前記右眼フレームが書かれた時、前記シャッター同期信号を前記映像表示装置により出力して前記シャッター眼鏡の前記右眼グラスを開く上記ステップが、最終走査信号が前記右眼フレームに対応するフレーム期間中にイネーブルにされることからディスエーブルにされることに変化する時、前記シャッター同期信号を前記映像表示装置により出力して前記シャッター眼鏡の前記右眼グラスを開くことを含む。
【００１２】
この発明の実施形態に従って、前記左眼フレームが前記映像表示装置中に書き込まれようとする時、前記シャッター同期信号を前記映像表示装置により出力して前記シャッター眼鏡の前記右眼グラスを閉じる上記ステップが、スタート信号が前記左眼フレームに対応するフレーム期間にイネーブルにされる時、前記シャッター同期信号を前記映像表示装置により出力して前記シャッター眼鏡の前記右眼グラスを閉じることを含むものである。
【００１３】
この発明の実施形態に従って、前記左眼フレームが書かれた時、前記シャッター同期信号を前記映像表示装置により出力して前記シャッター眼鏡の前記左眼グラスを開く上記ステップが、前記左眼フレームに対応するフレーム期間にデータラッチ信号により伝送される最終データ書き込みパルスがイネーブルにされることからディスエーブルにされることに変化する時、前記シャッター同期信号を前記映像表示装置により出力して前記シャッター眼鏡の前記左眼グラスを開くことを含むものである。
【００１４】
この発明の実施形態に従って、前記左眼フレームが書かれた時、前記シャッター同期信号を前記映像表示装置により出力して前記シャッター眼鏡の前記左眼グラスを開く上記ステップが、最終走査信号が前記左眼フレームに対応するフレーム期間にイネーブルにされることからディスエーブルにされることに変化する時、前記シャッター同期信号を前記映像表示装置により出力して前記シャッター眼鏡の前記左眼グラスを開くことを含むものである。
【００１５】
この発明の実施形態に従って、前記右眼グラスおよび前記左眼グラスが、前もって閉じるにセットされるものである。
【００１６】
この発明の実施形態に従って、前記左眼グラスが、前記シャッター同期信号により伝送される第１パルス中に開かれ、前記右眼グラスが、前記シャッター同期信号により伝送される第２パルス中に開かれ、そのうち、前記第１パルスおよび前記第２パルスが異なるフレーム期間に位置するものである。
【００１７】
この発明がディスプレイ方法を提供し、映像表示装置とシャッター眼鏡とを備える３次元ディスプレイに適する。そのディスプレイ方法が次のステップを含む。右眼フレームが前記映像表示装置に書き込まれようとする時、シャッター同期信号を前記映像表示装置により出力して前記シャッター眼鏡の右眼グラスを開き、左眼グラスを閉じる。左眼フレームが前記映像表示装置に書き込まれようとする時、前記シャッター同期信号を前記映像表示装置により出力して前記シャッター眼鏡の前記左眼グラスを開き、前記右眼グラスを閉じることを含む。前記映像表示装置がブラックフレームを表示する時、前記シャッター同期信号を前記映像表示装置により出力して前記左眼グラスの状態および前記右眼グラスの状態を維持し、そのうち、前記ブラックフレームが前記左眼フレームおよび前記右眼フレームの間に表示されるものである。
【００１８】
この発明の実施形態に従って、前記右眼フレームが前記映像表示装置に書き込まれようとする時、前記シャッター同期信号を前記映像表示装置により出力して前記シャッター眼鏡の前記右眼グラスを開き、前記左眼グラスを閉じる上記ステップが、前記右眼フレームに対応するフレーム期間にスタート信号がイネーブルにされる時、前記シャッター同期信号を前記映像表示装置により出力して前記シャッター眼鏡の前記右眼グラスを開き、前記左眼グラスを閉じることを含むものである。
【００１９】
この発明の実施形態に従って、前記左眼フレームが映像表示装置に書き込まれようとする時、前記シャッター同期信号を前記映像表示装置により出力し前記シャッター眼鏡の前記左眼グラスを開き、前記右眼グラスを閉じる前記ステップが、前記左眼フレームに対応するフレーム期間にスタート信号がイネーブルにされる時、前記シャッター同期信号を前記映像表示装置により出力して前記シャッター眼鏡の前記左眼グラスを開き、前記右眼グラスを閉じることを含むものである。
【００２０】
この発明の実施形態に従って、前記左眼グラスが第１レベルで前記シャッター同期信号により開かれ、前記右眼グラスが第２レベルで前記シャッター同期信号により開かれ、そのうち、前記第１レベルが前記第２レベルと同じでないものである。
【００２１】
この発明は、映像表示装置とシャッター眼鏡とを含む３次元ディスプレイを提供する。前記映像表示装置がビデオ信号を受信して左眼フレームまたは右眼フレームを表示し、前記左眼フレームまたは前記右眼フレームに従ってシャッター同期信号を出力するよう構成される。前記シャッター眼鏡が前記映像表示装置に連結され、前記シャッター同期信号に従って左眼グラスおよび右眼グラスのうち１つを開くように構成される。
【００２２】
この発明の実施形態に従って、前記映像表示装置がタイミング制御器とゲートドライバーとソースドライバーとディスプレイパネルと同期信号発生器とを含む。前記タイミング制御器が前記ビデオ信号を受信して、前記左眼フレームまたは前記右眼フレームが表示されているかに従ってスタート信号、ゲートクロック信号、データラッチ信号を発生させるように構成される。前記ゲートドライバーが前記タイミング制御器に連結され、前記スタート信号および前記ゲートクロック信号に従って複数の走査信号を発生させるように構成される。前記ソースドライバーが前記タイミング制御器に連結され、前記データラッチ信号に従って複数のディスプレイデータを出力するように構成される。前記ディスプレイパネルが前記ゲートドライバーおよび前記ソースドライバーに連結され、前記複数の走査信号に従って前記ディスプレイデータを受信して前記左眼フレームまたは前記右眼フレームを表示するよう構成される。前記同期信号発生器が前記タイミング制御器に連結され、前記スタート信号、前記ゲートクロック信号または前記データラッチ信号に従って前記シャッター同期信号を発生させるように構成される。
【００２３】
この発明の実施形態に従って、前記スタート信号が前記右眼フレームに対応するフレーム期間中にイネーブルにされる時、前記同期信号発生器が前記シャッター同期信号を出力して前記シャッター眼鏡の前記左眼フレームを閉じる。
【００２４】
この発明の実施形態に従って、前記右眼フレームに対応するフレーム期間中に前記データラッチ信号により伝送される最終データ書き込みパルスがイネーブルにされることからディスエーブルにされることに変化する時、前記同期信号発生器が前記シャッター同期信号を出力して前記シャッター眼鏡の前記右眼グラスを開くものである。
【００２５】
この発明の実施形態に従って、前記右眼フレームに対応するフレーム期間に前記複数の走査信号の最終走査信号がイネーブルにされることからディスエーブルにされることに変化する時、前記同期信号発生器が前記シャッター同期信号を出力して前記シャッター眼鏡の前記右眼グラスを開く。
【００２６】
この発明の実施形態に従って、前記左眼フレームに対応するフレーム期間に前記スタート信号がイネーブルにされる時、前記同期信号発生器が前記シャッター同期信号を出力して前記シャッター眼鏡の前記右眼グラスを閉じるものである。
【００２７】
この発明の実施形態に従って、前記左眼フレームに対応するフレーム期間に前記データラッチ信号により伝送される最終データ書き込みパルスがイネーブルされることからディスエーブルにされることへ変化する時、前記同期信号発生器が前記シャッター同期信号を出力して前記シャッター眼鏡の前記左眼グラスを開くものである。
【００２８】
この発明の実施形態に従って、前記左眼フレームに対応するフレーム期間に前記複数の走査信号の最終走査信号がイネーブルにされることからディスエーブルにされることに変化する時、前記同期信号発生器が前記シャッター同期信号を出力して前記シャッター眼鏡の前記左眼グラスを開くものである。
【００２９】
この発明の実施形態に従って、前記右眼フレームに対応するフレーム期間に前記スタート信号がイネーブルにされる時、前記同期信号発生器がシャッター同期信号を出力して前記シャッター眼鏡の前記右眼グラスを開き、前記左眼グラスを閉じるものである。
【００３０】
この発明の実施形態に従って、前記左眼フレームに対応するフレーム期間に前記スター信号がイネーブルにされる時、前記同期信号発生器が前記シャッター同期信号を出力して前記シャッター眼鏡の前記左眼グラスを開き、前記右眼グラスを閉じるものである。
【００３１】
（作用）
つまり、この発明の実施形態にかかる３次元ディスプレイとそのディスプレイ方法がここで広範に記述され、３次元ディスプレイが書かれたフレームおよびフレーム書き込み状態に従ってシャッター同期信号を出力して、ディスプレイフレームに従いシャッター眼鏡を制御し対応するアイグラス（eye glasses）を開く。従って、映像表示装置が表示データの書き込み期間にシャッター眼鏡のアイグラスを開いて、右眼と左眼とが不完全なフレームを受信するという問題が防止される。
【発明の効果】
【００３２】
以上の観点から、この発明の実施形態にかかる３次元ディスプレイおよびそのディスプレイ方法がここに広く記載されて、３次元ディスプレイが書かれたフレームおよびフレーム書き込み状態に従いシャッター同期信号を出力して、ディスプレイフレームに基づきシャッター眼鏡を制御して対応するアイグラスを開く。従って、映像表示装置が表示データの書き込み期間にシャッター眼鏡のアイグラスを開いて、右眼と左眼とが不完全なフレームを受信するという問題が防止される。また、ビデオ信号が伝送する左眼、右眼フレームおよびブラックフレーム間で入れ替わる時、フレームディスプレイの輝度が強化され、オーバードライブ表のメモリーサイズが縮小される。
【図面の簡単な説明】
【００３３】
【図１】従来の３Ｄ（three dimensional ）映像ディスプレイシステムを示す概略的な説明図である。
【図２】この発明に実施形態にかかる３Ｄ映像ディスプレイシステムを示す概略的な説明図である。
【図３】この発明の実施形態にかかる図２中で記述したスタート信号、データラッチ信号およびシャッター同期信号を示す波形図である。
【図４】この発明に実施形態にかかる図２中で記述したスタート信号、ゲートクロック信号およびシャッター同期信号を示す波形図である。
【図５】この発明の実施形態にかかる図２中で記述したスタート信号およびシャッター同期信号を示す波形図である。
【図６】この発明の実施形態にかかるディスプレイ方法を説明するフローチャートである。
【図７】この発明の別な実施形態にかかるディスプレイ方法を説明するフローチャートである。
【発明を実施するための形態】
【００３４】
以下、この発明を実施するための形態を図面に基づいて説明する。
図２は、この発明に実施形態にかかる３Ｄ映像ディスプレイシステムを示す概略的な説明図である。図２において、３Ｄ映像ディスプレイシステム20中、メディア再生装置50がビデオ信号VSを提供し、３Ｄディスプレイ200がビデオ信号VSに従って３Ｄ映像を表示する。メディア再生装置50は、例えば、パーソナルコンピューターまたはメディアディスク再生装置である。また、ビデオ信号VSがＤサブミニアチュア（D-subminiature = D-sub）インターフェース、デジタル視覚インターフェース（Digital Visual Interface = DVI）または高解像度マルチメディアインターフェース（High Definition Multimedia Interface = HDMI）を介して伝送される。３Ｄディスプレイ200が映像表示装置210とシャッター眼鏡220とを含む。
【００３５】
映像表示装置210がビデオ信号VSを受信し、ビデオ信号VSに従って左眼フレームまたは右眼フレームを表示し、左眼フレームまたは右眼フレームのディスプレイに従ってシャッター同期信号SSを発生させる。シャッター眼鏡220が映像表示装置210に連結され、シャッター同期信号SSに基づきその左眼グラスまた右眼グラスのうち１つを開く。シャッター同期信号SSは、例えば、赤外線（infrared radiation）、ブルートゥース（Bluetooth）またはWiFiのような有線インターフェースまたは無線インターフェースを通して伝送される。
【００３６】
映像表示装置210がタイミング制御器211とソースドライバー213とゲートドライバー215とディスプレイパネル217と同期信号発生器219とを含む。タイミング制御器211がビデオ信号VSを受信し、スタート信号STVとゲートクロック信号CPVとデータラッチ信号TPがビデオ信号VSにより伝送されるフレームデータが左眼フレームまたは右眼フレームを表示するかどうか従って発生される。ゲートドライバー215がタイミング制御器211に連結され、ゲートドライバー215がスタート信号STVとゲートクロック信号CPVとに従って複数の走査信号SCを発生させる。ソースドライバー213がタイミング制御器211に連結され、ソースドライバー213がデータラッチ信号TPに従って複数のディスプレイデータDSを発生させる。ディスプレイパネル217がゲートドライバー215およびソースドライバー213に連結され、ディスプレイパネル217が走査信号SCに従って受信するディスプレイデータDSにより左眼フレームまたは右眼フレームを表示する。同期信号発生器219がタイミング制御器211に連結され、同期信号発生器219がスタート信号STV、ゲートクロック信号CPVまたはデータラッチ信号TPに従ってシャッター同期信号SSを発生させる。
【００３７】
ビデオ信号VSが伝送される左眼フレームおよび右眼フレーム間で入れ替わると仮定し、シャッター眼鏡220が操作される時、シャッター眼鏡220の左眼グラスおよび右眼グラスが前もって閉めるにセットされている。右眼フレームがディスプレイパネル217に書き込まれようとする時、同期信号発生器219がシャッター同期信号SSを出力してシャッター眼鏡220の左眼グラスを閉じる。また、右眼フレームが書かれた時、同期信号発生器219がシャッター同期信号SSを出力してシャッター眼鏡220の右眼グラスを開く。そのため、充分な右眼フレームが右眼に提供される。左眼フレームがディスプレイパネル217に書き込まれようとする時、同期信号発生器219がシャッター同期信号SSを出力してシャッター眼鏡220の右眼グラスを閉じる。また、左眼フレームが書かれた時、同期信号発生器219がシャッター同期信号SSを出力してシャッター眼鏡220の左眼グラスを開く。従って、充分な左眼フレームが左眼に提供される。
【００３８】
上記した観点から、左眼フレームまたは右眼フレームがディスプレイパネル217に書き込まれようとしているか否か、あるいは書き込みが完了したか否かに従って、映像表示装置210がシャッター同期信号SSを出力してシャッター眼鏡220を制御し、左眼フレームが表示されている時に左眼グラスが開き、右眼フレームが表示されている時に右眼グラスが開く。シャッター同期信号SSが映像表示装置210中の書き込みフレームだけででなくフレーム書き込み状態に従って出力されるので、そのため、フレームが充分に表示されている時、左眼または右眼がフレームが映像を受け取っているか否かが制御される。それ故に、左眼および右眼が不正確な映像を受け取ってしまうような不正確なシャッター同期信号SSを防止できる。また、スタート信号STV、ゲートクロック信号CPVおよびデータラッチ信号TPを参照することによって、フレームがディスプレイパネル217に書き込まれようとしているか否か、およびフレームが書き込まれたか否かが決定できるが、更に詳細な部分は後述する。
【００３９】
図３は、この発明の実施形態にかかる図２中で記述したスタート信号STV、データラッチ信号TPおよびシャッター同期信号SSを示す波形図である。図２と図３とにおいて、ここにフレーム期間PF1中に右眼フレームが表示され、フレーム期間PF2中に左眼フレームが表示されていると仮定する。上述した観点から、フレーム期間PF1中にスタート信号STVがイネーブルにされる（例えば、スタート信号STVがハイレベル）時、同期信号発生器219がシャッター同期信号SS（例えば、シャッター同期信号SSがローレベル）をディスエーブルにして、シャッター眼鏡220の左眼グラスが閉じられる。そのため、右眼フレームがディスプレイパネル217に書き込まれようとしている時、同期信号発生器219がシャッター同期信号SSを出力してシャッター眼鏡220の左眼グラスを閉じる。
【００４０】
さらに、フレーム期間PF1中、データラッチ信号TPの最終データ書き込みパルス（例えば、パルスTP1）がイネーブルにされることからディスエーブルにされることに変化する（例えば、パルスTP1がローレベルであり、かつディスプレイデータDSの最終行がディスプレイパネル217へ出力されている）時、同期信号発生器219がシャッター同期信号SS（例えば、シャッター同期信号がハイレベル）をイネーブルにして、シャッター眼鏡220の右眼グラスが開かれる。従って、右眼フレームが書かれた時、同期信号発生器219がシャッター同期信号SSを出力してシャッター眼鏡220の右眼グラスを開く。フレーム期間PF2中にスタート信号STVがイネーブルにされる時、同期信号発生器219がシャッター同期信号SSをディスエーブルにして、シャッター眼鏡220の右眼グラスが閉じられる。そのため、左眼フレームが書き込まれようとする時、同期信号発生器219がシャッター同期信号SSを出力してシャッター眼鏡220の右眼グラスを閉じる。
【００４１】
さらに、フレーム期間PF2中、データラッチ信号TPの最終データ書き込みパルス（例えば、パルスTP2）がイネーブルにされることからディスエーブルにされることに変化する（左眼フレーム中のディスプレイデータDSの最終行がディスプレイパネル217へ出力されている）時、同期信号発生器219がシャッター同期信号SSをイネーブルにしてシャッター眼鏡220の左眼グラスが開かれる。従って、左眼フレームが書かれた時、同期信号発生器219がシャッター同期信号SSを出力してシャッター眼鏡220の左眼グラスを開く。
【００４２】
上述した観点から、右眼グラスの開く期間はパルスPSS1のパルス幅であり、それに対して、左眼グラスの開く期間はパルスPSS2のパルス幅である。一般的に言って、アイグラスの開く期間はフレーム期間の少なくとも10％である。具体的には、パルスPSS1のパルス幅がフレーム期間PF1の少なくとも10％であり、パルスPSS2のパルス幅がフレーム期間PF2の少なくとも10％である。また、ディスプレイデータDSの伝送時間が減少した時、アイグラスの開く期間が増加し、開く期間がフレーム期間の32％に増加する。
【００４３】
図４は、この発明に実施形態にかかる図２中で記述したスタート信号STV、ゲートクロック信号CPVおよびシャッター同期信号SSを示す波形図である。図３と図４とにおいて、上記した実施形態は、データラッチ信号TPを使用してフレームが書かれたか否か決定していたが、一方、この実施形態は、走査信号SCを使用してフレームが書かれたか否かを決定する。また、走査信号SCがスタート信号STVおよびゲートクロック信号CPVに従って発生され、ゲートクロック信号CPVは、最終走査信号SCが伝送されたか否か判定するために使用される。この発明の実施形態中、パルスCP1およびパルスCP2がフレーム期間PF1およびフレーム期間PF2中の最終走査信号SCに対応すると仮定する。
【００４４】
従って、フレーム期間PF1中、最終走査信号SCに対応するパルスCP1がイネーブルにされることからディスエーブルにされることに変わる（例えば、右眼フレーム中のディスプレイデータDSの最終行がディスプレイパネル217へ書き込まれた）時、同期信号発生器219がシャッター同期信号SSをイネーブルにしてシャッター眼鏡220の右眼グラスが開かれる。また、フレーム期間PF2中、最終走査信号SCに対応するパルスPF1がイネーブルにされることからディスエーブルにされることに変わる（例えば、左眼フレーム中のディスプレイデータDSの最終行がディスプレイパネル217へ書き込まれた）時、同期信号発生器219がシャッター同期信号SSをイネーブルにして、シャッター眼鏡220の左眼グラスが開かれる。
【００４５】
注意すべきことは、この実施形態に従って、最終走査信号SCの状態が計算により決定され、ゲートクロック信号CPVのパルスを計数する。しかし、この発明の別な実施形態中、信号線が最終走査信号SCの出力端から同期信号発生器219へ引っ張られて、最終走査信号SCの状態を直接計測する。さらに、最終走査信号SCがイネーブルにされることからディスエーブルにされることに変わる時、シャッター同期信号SSが生成されて、フレームに対応するアイグラスを開く。
【００４６】
再び、図２において、ビデオ信号VSが伝送する左眼フレーム、ブラックフレームおよび右眼フレーム間で入れ替わると仮定し、かつ伝送順序が左眼フレーム、ブラックフレーム、右眼フレーム、ブラックフレームからまた左眼フレームへ戻ると仮定する。このような循環のもと、右眼フレームがディスプレイパネル217へ書き込まれようとする時、同期信号発生器219がシャッター同期信号SSを出力してシャッター眼鏡220の右眼グラスを開き、左眼グラスを閉じる。
【００４７】
ブラックフレームがディスプレイパネル217へ書かれた時、同期信号発生器219が右眼フレームの書かれた時と同一レベルを有するシャッター同期信号SSを出力して左眼グラスの閉じた状態および右眼グラスの開いた状態を維持する。左眼フレームがディスプレイパネル217へ書き込まれようとする時、同期信号発生器219がシャッター同期信号SSを出力してシャッター眼鏡220の左眼グラスを開き、右眼グラスを閉じる。ブラックフレームが再び書かれ、ディスプレイパネル217中に表示される時、同期信号発生器219が左眼フレームの書かれた時と同一レベルを有する同期信号SSを出力して左眼フレームの開いた状態ならびに右眼フレームの閉じた状態を維持する。
【００４８】
図５は、この発明の実施形態にかかる図２中で記述したスタート信号STVおよびシャッター同期信号SSを示す波形図である。図２と図５とにおいて、この発明の実施形態中、フレーム期間PF3が右眼フレームに対応し、フレーム期間PF5が左眼フレームに対応し、フレーム期間PF4およびフレーム期間PF6がブラックフレームに対応する。また、シャッター同期信号SSがイネーブルにされる時、シャッター眼鏡220の右眼グラスが開かれているのに対して、シャッター眼鏡220の左眼グラスが閉じられている。シャッター同期信号SSがディスエーブルにされる時、シャッター眼鏡220の左眼グラスが開かれているのに対して、シャッター眼鏡220の右眼グラスが閉じられている。
【００４９】
この実施形態中、フレーム期間PF3にスタート信号STVがイネーブルにされる時、同期信号発生器219がイネーブルにされたシャッター同期信号SSを出力してシャッター眼鏡220の右眼グラスを開き、左眼グラスを閉じる。さらに、フレーム期間PF4にスタート信号STVがイネーブルにされる時、同期信号発生器219がフレーム期間PF3と同じシャッター同期信号SSを出力する。言い換えれば、シャッター同期信号SSのレベルが変化しない。フレーム期間PF5中にスタート信号STVがイネーブルにされる時、同期信号発生器219がディスエーブルにされたシャッター同期信号SSを出力してシャッター眼鏡220の左眼グラスを開き、右眼グラスを閉じる。また、フレーム期間PF6中、スタート信号STVがイネーブルにされる時、同期信号発生器219がフレーム期間PF5中と同じシャッター同期信号SSを出力する。言い換えれば、シャッター同期信号SSのレベルが変化しない。
【００５０】
上述した記載に従って、右眼グラスが開いている（例えば、フレーム期間PF3およびフレーム期間PF4）時、右眼フレームが半分の時間表示され、ブラックフレームが他の半分の時間表示される。即ち、右眼フレームの表示時間は、右眼グラスが開いてる時間の50％である。左眼グラスが開いている（例えば、フレーム期間PF5およびフレーム期間PF6）時、左眼フレームが半分の時間表示され、ブラックフレームが他の半分の時間表示される。即ち、左眼フレームの表示時間は、左眼グラスが開いてる時間の50％である。従って、フレームの表示時間は、アイグラスの開く期間の50％であり、それによりフレームディスプレイの輝度を増強する。
【００５１】
また、映像表示装置210中、オーバードライブ技術が採用されてディスプレイデータDSをディスプレイパネル217中へ書き込む速度を増加させる。256グレイレベルを例に挙げれば、映像表示装置210は、先行するフレームのグレイスケールに一致する現在の書かれるディスプレイデータDSのグレイスケール値に対応するオーバードライブ値を決定するために、256×256サイズのオーバードライブ表を確立する。しかし、ビデオ信号VSが伝送する左眼フレーム、ブラックフレームおよび右眼フレーム間で入れ替わり、左眼フレームおよび右眼フレームのディスプレイ後の１つの前のフレームがブラックフレームである（例えば、先行するフレームが固定された０グレイレベルを有する）ため、オーバードライブ表が256×1サイズに縮小される。
【００５２】
従って、ディスプレイ方法は、ビデオ信号が左眼フレームおよび右眼フレームを交替して伝送するものに適用できる。図６は、この発明の実施形態にかかるディスプレイ方法を説明するフローチャートである。図６において、この実施形態中、右眼フレームが映像表示装置に書き込まれようとする時、映像表示装置がシャッター同期信号を出力してシャッター眼鏡の左眼グラスを閉じる（ステップS610）。右眼フレームが書かれた時、映像表示装置がシャッター同期信号を出力してシャッター眼鏡の右眼グラスを開ける（ステップS620）。左眼フレームが映像表示装置に書き込まれようとする時、映像表示装置がシャッター同期信号を出力してシャッター眼鏡の右眼グラスを閉じる（ステップS630）。左眼フレームが書かれた時、映像表示装置がシャッター同期信号を出力してシャッター眼鏡の左眼グラスを開ける（ステップS640）。その後、ステップS610に戻り、実行される。この実施形態のディスプレイ方法の詳細は、上述した実施形態を参照できるので、ここでは省略する。
【００５３】
また、別なディスプレイ方法がビデオ信号が左眼フレーム、ブラックフレームおよび右眼フレームを交替して伝送するものに適用できる。図７は、この発明の別な実施形態にかかるディスプレイ方法を説明するフローチャートである。図７において、この実施形態中、右眼フレームが映像表示装置に書き込まれようとする時、映像表示装置がシャッター同期信号を出力してシャッター眼鏡の右眼グラスを開け、左眼グラスを閉じる（ステップS710）。映像表示装置がブラックフレームを表示する時、映像表示装置が左眼グラスの状態および右眼グラスの状態を維持する（ステップS720）。左眼フレームが映像表示装置に書き込まれようとする時、映像表示装置がシャッター同期信号を出力してシャッター眼鏡の左眼グラスを開け、右眼グラスを閉じる（ステップS730）。映像表示装置がブラックフレームを表示する時、映像表示装置が左眼グラスの状態および右眼グラスの状態を維持する（ステップS740）。その後、ステップS710へ戻り、実行される。この実施形態のディスプレイ方法の詳細は、上述した実施形態を参照できるので、ここでは省略する。
【００５４】
以上のように、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【符号の説明】
【００５５】
10, 20  ３次元映像表示システム
30, 50  メディア再生装置
100, 200  ３次元ディスプレイ
110, 210  映像表示装置
120, 220  シャッター眼鏡
211タイミング制御器
213  ソースドライバー
215  ゲートドライバー
217  ディスプレイパネル
219  同期信号発生器
CPV  ゲートクロック信号
DS  ディスプレイデータ
PF1〜PF6  フレーム期間
SC  走査信号
STV  スタート信号
TP  データラッチ信号
TP1, TP2, PSS1, PSS2, CP1, CP2  パルス
VS  ビデオ信号
S610, S620, S630, S640, S710, S720, S730, S740  ステップ
【図１】
0005431263.tif 000002
【図２】
0005431263.tif 000003
【図３】
0005431263.tif 000004
【図４】
0005431263.tif 000005
【図５】
0005431263.tif 000006
【図６】
0005431263.tif 000007
【図７】
0005431263.tif 000008